(57)【要約】【課題】用紙詰まりが発生した場合に転写部と定着部との間の搬送経路に取り残され転写されたトナーが未定着の状態の記録用紙を回収経路で回収し、搬送経路上へのトナーの飛散を防止し、用紙詰まりを解除するときの機内汚染を防止することができる画像形成装置および記録用紙の回収方法を提供する。【解決手段】転写部３９ａは、感光体ドラム２１の表面に形成された静電トナー像を記録用紙ＳＨに転写し、記録用紙ＳＨの表面に形成画像トナー像を載置する。形成画像トナー像を転写された記録用紙ＳＨは、搬送経路４３を搬送され、定着部３９ｂへ到達する。定着部３９ｂは、記録用紙ＳＨの表面に形成された形成画像トナー像を記録用紙ＳＨに固着する。用紙詰まりが発生した場合に転写部３９ａと定着部３９ｂとの間に残置された記録用紙ＳＨを搬送経路４３から分離して回収する回収経路８０を備える。【選択図】図２
2009128432.tif 000002
【特許請求の範囲】
【請求項１】
形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置であって、
前記転写部と前記定着部との間に記録用紙を前記搬送経路から分離して回収する回収経路を備えることを特徴とする画像形成装置。
【請求項２】
請求項１に記載の画像形成装置であって、
前記回収経路は、前記搬送経路に対して記録用紙の形成画像トナー像が転写された側に配置してあることを特徴とする画像形成装置。
【請求項３】
請求項２に記載の画像形成装置であって、
前記回収経路は、記録用紙の形成画像トナー像が転写された側を円弧の中心側とする円弧状の導入路を備えることを特徴とする画像形成装置。
【請求項４】
請求項３に記載の画像形成装置であって、
前記回収経路は、前記導入路の延長上に沿って記録用紙を回収する円筒状の回収部を備えることを特徴とする画像形成装置。
【請求項５】
請求項４に記載の画像形成装置であって、
前記回収部は、前記回収部の外側へ開放される開放蓋を備えることを特徴とする画像形成装置。
【請求項６】
請求項４に記載の画像形成装置であって、
前記回収部は、回収した記録用紙を除去できるように形成された切り欠きを備えることを特徴とする画像形成装置。
【請求項７】
請求項４に記載の画像形成装置であって、
前記回収部は、前記回収経路と交差する方向で記録用紙を前記回収部から押し出す押し出し機構部を備えることを特徴とする画像形成装置。
【請求項８】
請求項７に記載の画像形成装置であって、
前記押し出し機構部は、装置本体の壁面に配置された壁面カバーの開動作に連動する押し出し機構駆動部によって機能する構成としてあることを特徴とする画像形成装置。
【請求項９】
請求項４ないし請求項８のいずれか一つに記載の画像形成装置であって、
前記回収部に搬送された記録用紙は巻物状に回収される構成としてあることを特徴とする画像形成装置。
【請求項１０】
請求項９に記載の画像形成装置であって、
巻物状に回収された記録用紙は、形成画像トナー像が転写された側を内側に配置する構成としてあることを特徴とする画像形成装置。
【請求項１１】
請求項１ないし請求項１０のいずれか一つに記載の画像形成装置であって、
前記回収経路は、記録用紙上の形成画像トナー像を掻き取る掻き取り機構部を備えることを特徴とする画像形成装置。
【請求項１２】
請求項１ないし請求項１１のいずれか一つに記載の画像形成装置であって、
用紙詰まりが発生した場合に、前記転写部と前記定着部との間で記録用紙の先端位置が
前記回収経路への搬送先切り替えが可能な切り替え可能限界位置を通過する手前にあるとき、記録用紙を前記搬送経路から前記回収経路へ導入する切り替え動作を行なう切り替えゲートを備えることを特徴とする画像形成装置。
【請求項１３】
形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置での未定着トナーが載置された記録用紙の回収方法であって、
用紙詰まりが発生した場合に転写部と定着部との間での記録用紙の先端位置を判定する記録用紙先端位置判定ステップと、
記録用紙先端位置判定ステップで判定した記録用紙の先端位置が前記転写部と前記定着部との間に配置され記録用紙を前記搬送経路から分離して回収する回収経路への搬送先切り替えが可能な切り替え可能限界位置に到達していないときは記録用紙の搬送先を前記搬送経路から前記回収経路へ切り替える搬送先切り替えステップと、
前記回収経路に設けた回収部に記録用紙を回収する記録用紙回収ステップと
を備えることを特徴とする記録用紙の回収方法。
【発明の詳細な説明】
【技術分野】
【０００１】
本発明は、記録用紙上に形成画像トナー像を転写する転写部と、記録用紙上に転写された形成画像トナー像を記録用紙上に定着する定着部と、記録用紙を転写部から定着部へ搬送する搬送経路とを備える画像形成装置および記録用紙の回収方法に関する。
【背景技術】
【０００２】
従来の画像形成装置について、例えば特許文献１の記載に基づいて説明する。従来の画像形成装置は、上流装置（画像形成装置）と下流装置（シート後処理装置）の間に設けられたバッファユニットの内部に設けられた反転ユニットの下方にスタックトレイを配置し、バッファユニット内で搬送中のシートが用紙詰まり（ＪＡＭ）を起こした場合、用紙詰まりしたシートをスタックトレイに送り込むことによって、用紙詰まり時の処理時間を短縮する構成としてある。
【０００３】
特許文献１に開示された従来技術では、バッファユニット内での用紙詰まり発生時の用紙詰まりしたシートをスタックトレイに搬送することはできるが、上流装置（画像形成装置）内部で発生した用紙詰まり時の用紙詰まりしたシートを退避させることはできない。
【０００４】
また、従来、記録用紙の用紙詰まり発生によって上流装置に残留した記録用紙の搬送は、用紙詰まり発生時点で即搬送停止しており、停止後に装置内部に滞留した記録用紙を除去する必要があり煩わしい除去作業が必要であった。
【０００５】
また、転写部を通過し定着部に到達していない記録用紙には静電吸着した未定着トナーが載置されているために、記録用紙を取り除く際に、未定着トナーが飛散し、装置内部を汚染したり、利用者の手や衣服を汚染してしまうという問題があった。つまり、用紙詰まり発生後のリカバリは、画像形成装置の内部に残留した記録用紙を除去することによって可能となることから、記録用紙を除去する作業が実行されるが、転写部から定着部までの間の搬送経路で滞留した記録用紙を除去しようとするとき、従来は記録用紙上の未定着トナーが飛散したり、装置内部を汚損したりしていた。
【特許文献１】特開２００３−９５５０８号公報
【発明の開示】
【発明が解決しようとする課題】
【０００６】
本発明はこのような状況に鑑みてなされたものであり、形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置であって、転写部と定着部との間に記録用紙を搬送経路から分離して回収する回収経路を備えることにより、用紙詰まりが発生した場合に転写部と定着部との間の搬送経路に取り残され転写されたトナーが未定着の状態の記録用紙を回収経路で回収し、搬送経路上へのトナーの飛散を防止し、用紙詰まりを解除するときの機内汚染を防止することができる画像形成装置を提供することを目的とする。
【０００７】
また、本発明は、形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置での未定着トナーが載置された記録用紙の回収方法であって、用紙詰まりが発生した場合に転写部と定着部との間での記録用紙の先端位置を判定する記録用紙先端位置判定ステップと、記録用紙先端位置判定ステップで判定した記録用紙の先端位置が転写部と定着部との間に配置され記録用紙を前記搬送経路か
ら分離して回収する回収経路への搬送先切り替えが可能な切り替え可能限界位置に到達していないときは記録用紙の搬送先を搬送経路から回収経路へ切り替える搬送先切り替えステップと、回収経路に設けた回収部に記録用紙を回収する記録用紙回収ステップとを備えることにより、用紙詰まりが発生した場合に転写部と定着部との間の搬送経路に取り残され転写されたトナーが未定着の状態の記録用紙を回収経路で回収し、搬送経路上へのトナーの飛散を防止し、用紙詰まりを解除するときの機内汚染を防止することができる記録用紙の回収方法を提供することを他の目的とする。
【課題を解決するための手段】
【０００８】
本発明に係る画像形成装置は、形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置であって、前記転写部と前記定着部との間に記録用紙を前記搬送経路から分離して回収する回収経路を備えることを特徴とする。
【０００９】
この構成により、用紙詰まりが発生した場合に転写部と定着部との間の搬送経路に取り残され転写されたトナーが未定着の状態の記録用紙を回収経路で回収することが可能となり、搬送経路上へのトナーの飛散を防止し、用紙詰まりを解除するときの機内汚染を防止することができる。また、用紙詰まりの状態での記録用紙の除去作業を容易に実行することが可能となる。
【００１０】
また、本発明に係る画像形成装置では、前記回収経路は、前記搬送経路に対して記録用紙の形成画像トナー像が転写された側に配置してあることを特徴とする。
【００１１】
この構成により、画像形成装置内のスペースを有効に活用することが可能となる。
【００１２】
また、本発明に係る画像形成装置では、前記回収経路は、記録用紙の形成画像トナー像が転写された側を円弧の中心側とする円弧状の導入路を備えることを特徴とする。
【００１３】
この構成により、記録用紙のトナー未定着面を導入路の内側に位置させて回収経路へ導入することが可能となり、搬送経路および導入路の汚れを防止することができる。
【００１４】
また、本発明に係る画像形成装置では、前記回収経路は、前記導入路の延長上に沿って記録用紙を回収する円筒状の回収部を備えることを特徴とする。
【００１５】
この構成により、記録用紙のトナー未定着面を内側に位置させて記録用紙を回収することが可能となり、導入路の汚れを防止することができる。
【００１６】
また、本発明に係る画像形成装置では、前記回収部は、前記回収部の外側へ開放される開放蓋を備えることを特徴とする。
【００１７】
この構成により、回収部へ回収された記録用紙を回収部から容易に取り出すことが可能となる。
【００１８】
また、本発明に係る画像形成装置では、前記回収部は、回収した記録用紙を除去できるように形成された切り欠きを備えることを特徴とする。
【００１９】
この構成により、回収した記録用紙を容易に除去することが可能となる。
【００２０】
また、本発明に係る画像形成装置では、前記回収部は、前記回収経路と交差する方向で
記録用紙を前記回収部から押し出す押し出し機構部を備えることを特徴とする。
【００２１】
この構成により、記録用紙を回収部から回収部の外へ押し出すことが可能となり、記録用紙を回収部から容易かつ迅速に除去することができる。
【００２２】
また、本発明に係る画像形成装置では、前記押し出し機構部は、装置本体の壁面に配置された壁面カバーの開動作に連動する押し出し機構駆動部によって機能する構成としてあることを特徴とする。
【００２３】
壁面カバーの開動作に連動して押し出し機構部を連動させることが可能となることから、記録用紙の除去作業の作業効率を向上させることができる。
【００２４】
また、本発明に係る画像形成装置では、前記回収部に搬送された記録用紙は巻物状に回収される構成としてあることを特徴とする。
【００２５】
この構成により、回収経路の省スペース化を実現し、また、記録用紙を掴みやすくすることが可能となり、紙詰まりが発生した場合に回収経路に回収した記録用紙の除去を容易に実行することができる。
【００２６】
また、本発明に係る画像形成装置では、巻物状に回収された記録用紙は、形成画像トナー像が転写された側を内側に配置する構成としてあることを特徴とする。
【００２７】
この構成により、記録用紙の内側に形成画像トナー像が位置することとなることから、回収した記録用紙の除去作業を容易かつ清浄に実行することが可能となる。
【００２８】
また、本発明に係る画像形成装置では、前記回収経路は、記録用紙上の形成画像トナー像を掻き取る掻き取り機構部を備えることを特徴とする。
【００２９】
この構成により、回収された記録用紙上に残る形成画像トナー像のトナー量を少なくすることが可能となることから、トナー飛散および画像形成装置内の汚染をさらに抑制することができる。
【００３０】
また、本発明に係る画像形成装置では、用紙詰まりが発生した場合に、前記転写部と前記定着部との間で記録用紙の先端位置が前記回収経路への搬送先切り替えが可能な切り替え可能限界位置を通過する手前にあるとき、記録用紙を前記搬送経路から前記回収経路へ導入する切り替え動作を行なう切り替えゲートを備えることを特徴とする。
【００３１】
確実に回収可能な記録用紙に対してのみ回収動作を実行することが可能となり、回収経路への回収ができない記録用紙に対する損傷の発生を防止し、併せて切り替えゲートの汚損を防止することができる。
【００３２】
本発明に係る記録用紙の回収方法は、形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置での未定着トナーが載置された記録用紙の回収方法であって、用紙詰まりが発生した場合に転写部と定着部との間での記録用紙の先端位置を判定する記録用紙先端位置判定ステップと、記録用紙先端位置判定ステップで判定した記録用紙の先端位置が前記転写部と前記定着部との間に配置され記録用紙を前記搬送経路から分離して回収する回収経路への搬送先切り替えが可能な切り替え可能限界位置に到達していないときは記録用紙の搬送先を前記搬送経路から前記回収経路へ切り替える搬送先切り替えステップと、前記回収経路に設けた回収部に記録用紙
を回収する記録用紙回収ステップとを備えることを特徴とする。
【００３３】
この構成により、用紙詰まりが発生した場合に転写部と定着部との間の搬送経路に取り残され転写されたトナーが未定着の状態の記録用紙を回収経路で回収することが可能となり、搬送経路上へのトナーの飛散を防止し、用紙詰まりを解除するときの機内汚染を防止することができる。また、用紙詰まりの状態での記録用紙の除去作業を容易に実行することが可能となる。
【発明の効果】
【００３４】
本発明に係る画像形成装置によれば、形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置であって、転写部と定着部との間に記録用紙を搬送経路から分離して回収する回収経路を備えることから、用紙詰まりが発生した場合に転写部と定着部との間の搬送経路に取り残され転写されたトナーが未定着の状態の記録用紙を回収経路で回収することが可能となり、搬送経路上へのトナーの飛散を防止し、用紙詰まりを解除するときの機内汚染を防止することができ、また、用紙詰まりの状態での記録用紙の除去作業を容易に実行することが可能となるという効果を奏する。
【００３５】
また、本発明に係る記録用紙の回収方法によれば、形成画像トナー像を記録用紙上に転写する転写部と、記録用紙上に転写された形成画像トナー像を記録用紙上に定着する定着部と、記録用紙を転写部から定着部へ搬送する搬送経路とを備える画像形成装置での未定着トナーが載置された記録用紙の回収方法であって、用紙詰まりが発生した場合に転写部と定着部との間での記録用紙の先端位置を判定する記録用紙先端位置判定ステップと、記録用紙先端位置判定ステップで判定した記録用紙の先端位置が転写部と定着部との間に配置され記録用紙を搬送経路から分離して回収する回収経路への搬送先切り替えが可能な切り替え可能限界位置に到達していないときは記録用紙の搬送先を搬送経路から回収経路へ切り替える搬送先切り替えステップと、回収経路に設けた回収部に記録用紙を回収する記録用紙回収ステップとを備えることから、用紙詰まりが発生した場合に転写部と定着部との間の搬送経路に取り残され転写されたトナーが未定着の状態の記録用紙を回収経路で回収することが可能となり、搬送経路上へのトナーの飛散を防止し、用紙詰まりを解除するときの機内汚染を防止することができ、また、用紙詰まりの状態での記録用紙の除去作業を容易に実行することが可能となるという効果を奏する。
【発明を実施するための最良の形態】
【００３６】
以下、本発明の実施の形態を図面に基づいて説明する。
【００３７】
図１は、本発明の実施の形態に係る画像形成装置の全体構成の概略を側面から見て透視的に示す透視側面図である。
【００３８】
本実施の形態に係る画像形成装置１００は、原稿用紙から画像データを読み取って取得し、あるいは、外部から画像データを受信して取得し、取得した画像データによって示されるモノクロ画像を記録用紙に形成するものである。画像形成装置１００は、大別して、原稿用紙搬送部（ＡＤＦ：Ａｕｔｏ  Ｄｏｃｕｍｅｎｔ  Ｆｅｅｄｅｒ）１０１、画像読取り部１０２、印字部１０３、記録用紙搬送部１０４、および給紙部１０５を主要構成として備えている。なお、モノクロ画像を記録用紙に形成する画像形成装置１００を例示するが、カラー画像を形成する画像形成装置にも同様に適用することが可能である。
【００３９】
原稿用紙搬送部１０１は、少なくとも１枚の原稿用紙が原稿セットトレイ１１にセットされると、原稿用紙を１枚ずつ原稿セットトレイ１１から引き出して搬送し、原稿用紙を
画像読取り部１０２の原稿読取り窓１０２ａに導いて通過させ、原稿用紙を原稿排紙トレイ１２へ排出する。
【００４０】
原稿読取り窓１０２ａの上方には、ＣＩＳ（Ｃｏｎｔａｃｔ  Ｉｍａｇｅ  Ｓｅｎｓｏｒ：コンタクトイメージセンサ）１３が配設してある。ＣＩＳ１３は、原稿読取り窓１０２ａを原稿用紙が通過する際に、原稿用紙裏面の画像を主走査方向に繰り返し読取り、原稿用紙裏面の画像を示す画像データを出力する。
【００４１】
画像読取り部１０２は、原稿用紙が原稿読取り窓１０２ａを通過する際に、第１走査ユニット１５が備えるランプによって原稿用紙表面を露光し、第１走査ユニット１５および第２走査ユニット１６が備えるミラーによって原稿用紙表面からの反射光を結像レンズ１７へと導き、結像レンズ１７によって原稿用紙表面の画像をＣＣＤ（Ｃｈａｒｇｅ  Ｃｏｕｐｌｅｄ  Ｄｅｖｉｃｅ：固体撮像装置）１８上に結像する。ＣＣＤ１８は、原稿用紙表面の画像を主走査方向に繰り返し読取り、原稿用紙表面の画像を示す画像データを出力する。
【００４２】
さらに、原稿用紙が画像読取り部１０２の上面に配置されたプラテンガラス上に置かれた場合は、第１走査ユニット１５および第２走査ユニット１６を相互に所定の速度関係を維持しつつ移動させ、第１走査ユニット１５によってプラテンガラス上の原稿用紙表面を露光し、第１走査ユニット１５および第２走査ユニット１６によって原稿用紙表面からの反射光を結像レンズ１７へと導き、結像レンズ１７によって原稿用紙表面の画像をＣＣＤ１８上に結像する。
【００４３】
ＣＩＳ１３もしくはＣＣＤ１８から出力された画像データは、図示しないマイクロコンピュータなどが備える制御回路により各種の画像処理を施された後、印刷部１０３へ出力される。
【００４４】
印刷部１０３は、画像データによって示される原稿を記録用紙に記録するものであって、感光体ドラム２１、帯電器２２、光書込みユニット２３、現像器２４、転写ユニット２５、クリーニングユニット２６、および定着ユニット２７などを備えている。
【００４５】
感光体ドラム２１は、一方向に回転しており、表面をクリーニングユニット２６によりクリーニングされた後、帯電器２２により表面を均一に帯電される。帯電器２２は、チャージャー型のものであっても、感光体ドラム２１に接触するローラ型やブラシ型のものであっても良い。
【００４６】
光書込みユニット２３は、２つのレーザ照射部２８ａ、２８ｂ、および２つのミラー群２９ａ、２９ｂを備えるレーザスキャニングユニット（ＬＳＵ：Ｌａｓｅｒ  Ｓｃａｎｎｉｎｇ  Ｕｎｉｔ）である。光書込みユニット２３では、画像データを入力して画像データに応じたレーザ光をレーザ照射部２８ａ、２８ｂからそれぞれ出射し、出射したレーザ光をミラー群２９ａ、２９ｂを介して感光体ドラム２１に照射して、均一に帯電された感光体ドラム２１の表面を露光し、感光体ドラム２１の表面に画像データに応じた静電潜像を形成する。
【００４７】
光書込みユニット２３は、高速印字処理に対応するために２つのレーザ照射部２８ａ、２８ｂを備えた２ビーム方式を採用して、照射タイミングの高速化に伴う負担を軽減している。
【００４８】
尚、光書込ユニット２３として、レーザスキャニングユニットの代わりに、発光素子をアレイ状に並べたＥＬ書き込みヘッドやＬＥＤ書き込みヘッドを用いることもできる。
【００４９】
現像器２４は、感光体ドラム２１の表面にトナーを供給して静電潜像を現像し、感光体ドラム２１の表面に静電トナー像を形成する。転写ユニット２５は、感光体ドラム２１の表面に形成された静電トナー像を記録用紙搬送部１０４により搬送されてきた記録用紙に転写して形成画像トナー像を形成する。
【００５０】
定着ユニット２７は、記録用紙を加熱および加圧して、記録用紙上に転写された形成画像トナー像を定着させる。この後、記録用紙は、記録用紙搬送部１０４により排紙トレイ４７へとさらに搬送されて排出される。また、クリーニングユニット２６は、現像、転写後に感光体ドラム２１の表面に残留したトナーを除去して回収する。
【００５１】
転写ユニット２５は、転写ベルト３１、駆動ローラ３２、従動ローラ３３、および弾性導電性ローラ３４などを備えており、駆動ローラ３２、従動ローラ３３、弾性導電性ローラ３４、および他のローラによって転写ベルト３１を張架し、回転させている。
【００５２】
転写ベルト３１は、所定の抵抗値（例えば、１×１０9〜１×１０13Ω／ｃｍ）を有しており、転写ベルト３１の表面に載せられた記録用紙を搬送する。弾性導電性ローラ３４は、転写ベルト３１を介して感光体ドラム２１の表面に押し付けられており、転写ベルト３１の表面に載置された記録用紙を感光体ドラム２１の表面に押し付ける。
【００５３】
弾性導電性ローラ３４には、感光体ドラム２１の表面に形成された静電トナー像の電荷に対して逆極性の電荷が印加されており、逆極性の電荷の静電誘導により感光体ドラム２１の表面の静電トナー像が転写ベルト３１の表面に載置された記録用紙に転写される。つまり、記録用紙上に未定着トナー像が形成される。例えば、静電トナー像がマイナス（−）極性の電荷を有している場合は、弾性導電性ローラ３４に印加されている電荷の極性はプラス（＋）極性に設定される。
【００５４】
なお、本発明では、感光体ドラム２１と弾性導電性ローラ３４とが記録用紙を介して当接し、記録用紙の表面に未定着トナー像を形成する領域を転写部３９ａとするが、感光体ドラム２１と弾性導電性ローラ３４を合わせて転写部として扱うことも可能である。
【００５５】
定着ユニット２７は、加熱ローラ３５および加圧ローラ３６を備えている。加熱ローラ３５の筒状内部には、加熱ローラ３５の表面を所定温度（定着温度：概ね１６０〜２００℃）に設定するための熱源が設けてある。また、加圧ローラ３６が所定圧で加熱ローラ３５に対して圧接されるように、加圧ローラ３６の軸方向両端に図示しない加圧部材が配置してある。
【００５６】
加熱ローラ３５と加圧ローラ３６との間の圧接部（一般的に定着ニップ部と称される。）に記録用紙が搬送されて来ると、加熱ローラ３５および加圧ローラ３６により記録用紙が搬送されつつ、記録用紙上の未定着トナー像が加熱溶融され加圧されて、トナー像が記録用紙の表面に定着される。
【００５７】
なお、本発明では、加熱ローラ３５と加圧ローラ３６とが記録用紙を介して当接し、記録用紙の表面の未定着トナー像を記録用紙に定着する圧接部を定着部３９ｂとするが、加熱ローラ３５と加圧ローラ３６を合わせて定着部として扱うことも可能である。
【００５８】
記録用紙搬送部１０４は、記録用紙を搬送するための複数対の搬送ローラ４１、一対のレジストローラ４２、搬送経路４３、反転搬送経路４４、複数の分岐爪４５、および一対の排紙ローラ４６などを備えている。なお、搬送経路４３の一部領域は、転写部３９ａと定着部３９ｂとの間（転写ユニット２５）に配置され、転写部３９ａから定着部３９ｂへ
記録用紙を搬送する。
【００５９】
搬送経路４３の内で搬送ローラ４１の側に配置された上流側の搬送経路４３は、給紙部１０５から記録用紙を受け取り、記録用紙の先端がレジストローラ４２に達するまで記録用紙を搬送する。記録用紙が搬送されて到達するまでレジストローラ４２は、一時的に停止させてあるので、記録用紙の先端がレジストローラ４２に達して当接し、記録用紙が撓むこととなる。撓んだ記録用紙の弾性力により記録用紙の先端をレジストローラ４２と平行に揃えることが可能となる。
【００６０】
その後、レジストローラ４２の回転を開始して、レジストローラ４２により記録用紙を印刷部１０３の転写ユニット２５へ搬送し、転写ユニット２５を経由させてさらに排紙ローラ４６により記録用紙を排紙トレイ４７へと搬送する。
【００６１】
レジストローラ４２の停止および回転は、レジストローラ４２と駆動軸間のクラッチをオンオフに切り替えたり、レジストローラ４２の駆動源であるモータをオンオフに切り替えたりすることで実行される。
【００６２】
また、記録用紙の裏面にも画像を記録する場合は、複数の分岐爪４５を回転させて、搬送経路４３と反転搬送経路４４の分岐路を切り替え、反転搬送経路４４で記録用紙の表裏を反転させてから、反転搬送経路４４を介して記録用紙を搬送経路４３のレジストローラ４２へと戻す。
【００６３】
レジストローラ４２へ戻した記録用紙を搬送経路４３によって再度転写ユニット２５へ搬送し、転写ユニット２５で記録用紙の裏面に未定着トナー像を形成し、さらに排紙ローラ４６により記録用紙を排紙トレイ４７へ排出することにより、記録用紙の裏面に対する画像が記録される。
【００６４】
搬送経路４３および反転搬送経路４４では、記録用紙の位置などを検出するセンサを各所に適宜配置し、各センサにより検出された記録用紙の位置に基づいて搬送ローラ４１やレジストローラ４２を駆動制御して、記録用紙の搬送および位置決めを行なっている。例えば、定着部３９ｂと隣接する用紙検知センサ３７によって、記録用紙の通過状態を検出することができる。
【００６５】
給紙部１０５は、複数の給紙トレイ５１を備えている。各給紙トレイ５１は、記録用紙を蓄積しておくためのトレイであり、画像形成装置１００の下部領域に設けられている。また、各給紙トレイ５１は、記録用紙を一枚ずつ引き出すためのピックアップローラなどを備えており、引き出した記録用紙を記録用紙搬送部１０４の搬送経路４３へと送り出す。
【００６６】
本実施の形態に係る画像形成装置１００は高速印字処理を可能とするため、各給紙トレイ５１には、定型サイズの記録用紙を５００〜１５００枚収納可能な容積を確保している。
【００６７】
また、画像形成装置１００の外側（図上、右側面）には、複数種の記録用紙を多量に収納できる大容量給紙カセット（ＬＣＣ：Ｌａｒｇｅ  Ｃａｐａｃｉｔｙ  Ｃａｓｓｅｔｔｅ）５２、および、主として不定型サイズの記録用紙を供給するための手差しトレイ５３を設けている。
【００６８】
排紙トレイ４７は、手差しトレイ５３とは反対側の側面に配置されている。なお、排紙トレイ４７に代えて、排紙用紙の後処理装置（ステープル、パンチ処理など）や、複数段
の排紙トレイをオプションとして配置することが可能な構成となっている。
【００６９】
図２は、本発明の実施の形態に係る画像形成装置の回収経路の概略を概念的に示す透視側面図である。
【００７０】
現像器２４は、感光体ドラム２１の表面に形成された静電潜像にトナーを乗せることによって感光体ドラム２１の表面に静電トナー像を形成する。転写部３９ａは、感光体ドラム２１の表面に形成された静電トナー像を記録用紙ＳＨに転写し、記録用紙ＳＨの表面に形成画像トナー像を載置する。形成画像トナー像を転写された記録用紙ＳＨは、搬送経路４３を搬送され、定着部３９ｂへ到達する。
【００７１】
定着部３９ｂは、記録用紙ＳＨの表面に形成された形成画像トナー像を記録用紙ＳＨに固着する。つまり、転写部３９ａから定着部３９ｂへ搬送される間の搬送経路４３での記録用紙ＳＨは、未定着トナー（形成画像トナー像）を載せた状態となっている。
【００７２】
例えば、給紙部１０５などの画像形成装置１００の内部、あるいは搬送経路４３の下流側に設置された後処理装置などで用紙詰まりが発生した場合、搬送中の記録用紙ＳＨに余計なダメージを与えないようにするため、一般的に用紙搬送は直ちに停止され、転写部３９ａと定着部３９ｂの間で搬送されていた記録用紙ＳＨも未定着トナーを乗せたままその位置で停止する。
【００７３】
本実施の形態では、転写部３９ａと定着部３９ｂとの間に記録用紙ＳＨを搬送経路４３から分離して回収する回収経路８０を備える。したがって、用紙詰まりが発生した場合に転写部３９ａと定着部３９ｂとの間の搬送経路４３に取り残され転写されたトナーが未定着の状態の記録用紙ＳＨを回収経路８０で回収することが可能となり、搬送経路４３上へのトナーの飛散を防止し、用紙詰まりを解除するときの機内汚染を防止することができる。
【００７４】
回収経路８０は、記録用紙ＳＨの形成画像トナー像が転写された側を円弧の中心側とする円弧状の導入路８１を備える。したがって、記録用紙ＳＨのトナー未定着面を導入路８１の内側に位置させて回収経路８０へ導入することが可能となり、搬送経路４３および導入路８１の汚れを防止することができる。
【００７５】
回収経路８０は、導入路８１の延長上に沿って記録用紙ＳＨを回収する例えば円筒状の回収部８２を備える。したがって、記録用紙ＳＨのトナー未定着面を内側に位置させて記録用紙ＳＨを回収することが可能となり、導入路８１の汚れを防止することができる。
【００７６】
また、回収経路８０（導入路８１）へ記録用紙ＳＨを導入できるように記録用紙ＳＨの進行方向（搬送先）を切り替える切り替えゲート８３が設けてある。通常動作時は記録用紙ＳＨが定着部３９ｂへ搬送される方向に位置させておく。
【００７７】
給紙部１０５など、転写部３９ａから定着部３９ｂまでの間以外で用紙詰まりが発生したときに、転写部３９ａと定着部３９ｂの間に未定着トナーが載置された記録用紙ＳＨがあると判断した場合、記録用紙ＳＨを回収経路８０へ搬送するように切り替えゲート８３が切り替えゲート８３ｊの位置へ切り替わり、転写部３９ａと定着部３９ｂの間で搬送中の記録用紙ＳＨは回収経路８０（導入路８１）へ搬送先切り替えされる。通常の搬送経路４３から分離して未定着記録用紙ＳＨを待避させることにより、搬送経路４３の汚損を防止することができる。
【００７８】
通常、転写部３９ａから定着部３９ｂに至る間は記録用紙ＳＨのトナー未定着面の形成
画像トナー像を壊さないように、トナー未定着面側に接触する物がないように配置される。したがって、転写部３９ａから定着部３９ｂまでの間の用紙搬送には転写ベルト３１などが用いられる。
【００７９】
つまり、回収経路８０は、搬送経路４３に対して記録用紙ＳＨの形成画像トナー像が転写された側に配置してある。したがって、記録用紙ＳＨに対して未定着トナーが位置する方向の空き空間（図２では転写ベルト３１に対して上方向）に回収経路８０を設けることにより画像形成装置１００内のスペースの有効活用を実現することができる。
【００８０】
画像形成装置１００内で用紙詰まりが発生した時点で転写部３９ａと定着部３９ｂの間に未定着トナーが載置された記録用紙ＳＨがある時、回収経路８０への搬送先切り替えを実行しようとしても、記録用紙ＳＨの先端が搬送先切り替え可能な切り替え可能限界位置ＳＰ１を通過していた場合は搬送先切り替えが間に合わず、回収経路８０への搬送を行なうことができない。
【００８１】
記録用紙ＳＨの先端が搬送先切り替え可能な切り替え可能限界位置ＳＰ１を通過していた場合に、切り替えゲート８３を動作させて切り替えゲート８３ｊの位置へ移動させてしまったときは、切り替えゲート８３（切り替えゲート８３ｊ）自体が記録用紙ＳＨにダメージを与えてしまうとともに、未定着トナーに接触して汚損してしまう可能性がある。
【００８２】
したがって、用紙詰まり発生時点で未定着トナーが載置された記録用紙ＳＨを回収経路８０へ搬送できないと判断した場合には、切り替えゲート８３を動作させずに用紙搬送を即停止させて、通常の用紙詰まりの解除（搬送経路４３に残置された記録用紙の除去）を行なうようにしておく。
【００８３】
上述したとおり、本実施の形態では、用紙詰まりが発生した場合に、転写部３９ａと定着部３９ｂとの間で記録用紙ＳＨの先端が回収経路８０への搬送先切り替えが可能な切り替え可能限界位置ＳＰ１を通過する手前（上流側）にあるとき、記録用紙ＳＨを搬送経路４３から回収経路８０へ導入する切り替え動作を行なう切り替えゲート８３を備える。
【００８４】
したがって、確実に回収可能な記録用紙ＳＨに対してのみ回収動作を実行することが可能となり、回収経路８０への回収ができない記録用紙ＳＨに対する損傷の発生を防止し、併せて切り替えゲート８３の汚損を防止することができる。
【００８５】
図３および図４は、本発明の実施の形態に係る画像形成装置の回収経路での記録紙の回収状態を示す透視側面図である。
【００８６】
上述したとおり、回収経路８０は、導入路８１の延長上に断面が例えば円筒状の回収部８２を備えている。導入路８１と回収部８２との接続位置で導入路８１の外側の円弧径Ｒｓに対して内側の円弧径Ｒｅを小さくし、記録用紙ＳＨの長さに対して回収部８２の内周長を小さくすることにより、回収した記録用紙ＳＨを円筒状の内周に沿ってロール状（巻物状）に搬送回収し、回収部８２に溜めることが可能となる。
【００８７】
したがって、記録用紙ＳＨの表面に載置された未定着トナーが搬送経路４３、回収経路８０に触れることなく記録用紙ＳＨを搬送回収することが可能となり、搬送経路４３、回収経路８０での汚損を防止できる。また、円筒状の回収部８２によって記録用紙ＳＨを巻物状に回収することから、回収経路８０（導入路８１および回収部８２）を省スペース化することが可能になると共に、溜められた記録用紙ＳＨを除去するときに掴み易くなり、作業効率を向上させることができる。
【００８８】
図５は、本発明の実施の形態に係る画像形成装置の回収経路で未定着トナーを回収する掻き取り機構部を示す透視側面図である。
【００８９】
本実施の形態では、回収経路８０は、導入路８１の先端部分に（導入路８１での上流側）に記録用紙ＳＨの表面の未定着トナーを掻き取るスクレーパー状の掻き取り機構部８５を備える。したがって、回収された記録用紙ＳＨの表面に残る形成画像トナー像のトナー量を少なくすることが可能となることから、トナー飛散および画像形成装置内の汚染をさらに抑制することができる。
【００９０】
また、掻き取り機構部８５に合わせて掻き取ったトナーを回収するトナー回収部８６を設けることにより、導入路８１以降の領域での回収経路８０に対する未定着トナーの侵入量を極力抑制することができる。
【００９１】
つまり、回収経路８０（回収部８２）での記録用紙ＳＨの回収、除去作業によっても未定着トナーの存在によるトナーの飛散を全く無くすことは困難であるが、予め、導入路８１で未定着トナーを集中的に回収することによりトナーによる汚染を極力抑制する構成としてある。
【００９２】
図６は、本発明の実施の形態に係る画像形成装置の回収経路の回収部へ回収した記録用紙を取り出す開放蓋を示す説明図であり、（Ａ）は斜視図、（Ｂ）は透視側面図である。
【００９３】
本実施の形態では、回収部８２は、回収部８２の外側へ開放される開放蓋８２ｃを備える。したがって、用紙詰まりが繰り返された場合、回収部８２に回収された記録用紙ＳＨが溢れてしまうが、回収部８２へ回収された記録用紙ＳＨを回収部８２から容易に取り出すことが可能となり、記録用紙ＳＨが溢れることを事前に防止することができる。
【００９４】
つまり、開放蓋８２ｃを設けることにより、搬送された記録用紙ＳＨの除去が可能となり、さらなる用紙詰まりに対しても回収することが可能となる。また、回収部８２の内部で巻物状とされた記録用紙ＳＨの表面の未定着トナーは、巻物状の内面側に位置するため、除去作業時の用紙を掴むときに手を汚さずに作業することができる。
【００９５】
なお、開放蓋８２ｃは、回収部８２の一部分が開閉するような構造であってもよいし、回収部８２の断面方向手前側が開閉または解放するような構造であってもよい。
【００９６】
図７は、本発明の実施の形態に係る画像形成装置の回収経路の回収部へ回収した記録用紙を除去するための切り欠きを示す斜視図である。
【００９７】
本実施の形態では、回収部８２は、回収した記録用紙ＳＨを除去できるように形成された切り欠き８２ｓを備える。したがって、回収した記録用紙ＳＨを容易に除去することが可能となる。
【００９８】
つまり、回収経路８０の回収部８２に回収された記録用紙ＳＨを除去する際に、図６で示した開放蓋８２ｃによれば蓋を開閉したり、回収部８２の中へ手を入れなければならないといった煩わしさがあるが、切り欠き８２ｓを備える構造の回収部８２とすることにより、記録用紙ＳＨが回収部８２まで搬送されると、記録用紙ＳＨの一部分が切り欠き８２ｓから露出することとなり、除去作業の際に記録用紙ＳＨを容易に掴むことが可能となり、除去作業を効率的に実行することが可能となる。
【００９９】
図８は、本発明の実施の形態に係る画像形成装置の回収経路の回収部へ回収した記録用紙を押し出す押し出し機構部を示す斜視図である。
【０１００】
回収部８２は、回収経路８０と交差する軸方向（矢符Ｄｉｒ）で記録用紙ＳＨを回収部８２から押し出す押し出し機構部８８を備える。したがって、記録用紙ＳＨを回収部８２から回収部８２の外へ押し出すことが可能となり、記録用紙ＳＨを回収部８２から容易かつ迅速に除去することができる。
【０１０１】
押し出し機構部８８は、押し出し面８８ｐおよび補助棒８８ｂを備える。つまり、回収部８２の軸方向に開放口８７を設け、記録用紙ＳＨを軸方向（矢符Ｄｉｒ）で押し出す押し出し面８８ｐを軸方向後方側に配置し、除去作業を行なう際に押し出し面８８ｐに連結された補助棒８８ｂを手前に引くことにより、記録用紙ＳＨを開放口８７から押し出して除去作業を容易に実行することができる。
【０１０２】
図９は、図８に示した押し出し機構部を駆動する押し出し機構駆動部を概念的に示す平面図である。
【０１０３】
押し出し機構部８８は、装置本体（画像形成装置１００）の壁面１００ｃに配置された壁面カバー９０の開動作（矢符ＣＰ方向）に連動する押し出し機構駆動部８９によって機能する構成としてある。したがって、壁面カバー９０の開動作に連動して押し出し機構部８８を連動させることが可能となることから、記録用紙ＳＨの除去作業の作業効率を向上させることができる。
【０１０４】
押し出し機構駆動部８９は、基準位置となる装置構造体１００ｗに設けられ、壁面カバー９０の開動作に応じて手前方向（矢符Ｄｉｒ：軸方向）への力が働くように構成してある。押し出し機構駆動部８９は、例えばコイルバネなどの弾性部材によって構成することが可能であり、装置構造体１００ｗと押し出し面８８ｐとの間に挟持される形態としてある。
【０１０５】
定常状態では壁面カバー９０は閉状態とされ、補助棒８８ｂは装置構造体１００ｗ方向へ押圧され、補助棒８８ｂに連結してある押し出し面８８ｐによって押し出し機構駆動部８９は装置構造体１００ｗ方向へ押圧された状態となっている。
【０１０６】
記録用紙ＳＨを除去するときは、壁面カバー９０は開状態とされる。つまり、除去作業時に行なう壁面カバー９０の開動作に連動して壁面カバー９０によって抑制されていた補助棒８８ｂの位置が手前方向（矢符Ｄｉｒ）へ移動することから、押し出し機構駆動部８９の弾性作用が有効に作用する状態となる。したがって、押し出し面８８ｐは、押し出し機構駆動部８９の弾性作用により手前方向（矢符Ｄｉｒ）へ押圧され補助棒８８ｂに連動して手前方向へ移動し、押し出し機構部８８の動作が実行され、記録用紙ＳＨを除去することが可能となる。
【０１０７】
上述したとおり、本実施の形態では、回収部８２に搬送された記録用紙ＳＨは巻物状に回収される構成としてある。したがって、回収経路８０の省スペース化を実現し、また、記録用紙ＳＨを掴みやすくすることが可能となり、紙詰まりが発生した場合に回収経路８０（回収部８２）に回収した記録用紙ＳＨの除去を容易に実行することができる。
【０１０８】
また、巻物状に回収された記録用紙ＳＨは、形成画像トナー像が転写された側を内側に配置する構成としてある。したがって、記録用紙ＳＨの内側に形成画像トナー像が位置することとなることから、回収した記録用紙ＳＨの除去作業を容易かつ清浄に実行することが可能となる。
【０１０９】
図１０は、本発明の実施の形態に係る画像形成装置の回収経路へ記録用紙を回収すると
きの搬送先切り替えの処理フローを示すフローチャートである。
【０１１０】
なお、以下のステップＳ１ないしステップＳ１５の処理フローは、画像形成装置１００が備えるＣＰＵ（中央処理装置：不図示）に予め組み込んであるコンピュータプログラムを実行させることによって処理することが可能である。
【０１１１】
ステップＳ１：
先ず、原稿用紙から画像データを読み取って、読み取った画像データに基づいて光書込ユニット２３によって感光体ドラム２１に対する静電潜像の形成が開始される。
【０１１２】
ステップＳ２：
静電潜像の形成開始に併せて、レジストローラ４２のスタートタイミングタイマーＴ２の計時を開始する。なお、タイマーは、画像形成装置１００が備えるタイマーを適宜活用することが可能である。
【０１１３】
ステップＳ３：
スタートタイミングタイマーＴ２は、タイムアウトしたか否かを判定する。タイムアウトした場合（ステップＳ３：ＹＥＳ）は、ステップＳ４へ移行する。タイムアウトしていない場合（ステップＳ３：ＮＯ）は、元に戻り、計時を継続する。
【０１１４】
ステップＳ４：
レジストローラ４２の回転を開始する。回転の開始と同時にステップＳ５へ移行する。
【０１１５】
ステップＳ５：
記録用紙ＳＨに対する画像形成のタイミングは、記録用紙ＳＨの先端が当接されたレジストローラ４２の回転開始と同期をとって実行している。搬送経路４３での記録用紙ＳＨの位置は、レジストローラ４２のオン（回転開始）からの経過時間によって把握することができる。
【０１１６】
したがって、レジストローラ４２の回転開始時（ステップＳ４）に同期させて記録用紙ＳＨの先端位置を認識するためのタイミングを計時する記録用紙先端位置管理タイマーＴ１をリセット（Ｔ１＝０）し、同時に計時を開始させる。
【０１１７】
ステップＳ６：
用紙詰まり（ＪＡＭ）が発生したか否かを判定する。ＪＡＭが発生していない場合（ステップＳ６：ＮＯ）は、ステップＳ７へ移行する。ＪＡＭが発生した場合（ステップＳ６：ＹＥＳ）は、ステップＳ８へ移行する。
【０１１８】
なお、用紙詰まりの検出は、部搬送路４３の適宜の位置に備えられた複数のセンサへの到着タイミングにより実行される。
【０１１９】
ステップＳ７：
定着部３９ｂの後側センサである用紙検知センサ３７はオンしたか否かを判定する。用紙検知センサ３７がオン（記録用紙ＳＨを検出）した場合（ステップＳ７：ＹＥＳ）は、ステップＳ９へ移行する。用紙検知センサ３７がオンしていない（記録用紙ＳＨを検出していない）場合（ステップＳ７：ＮＯ）は、ステップＳ６へ戻る。
【０１２０】
ステップＳ８：
ＪＡＭが発生したことから、記録用紙先端位置管理タイマーＴ１の計時を停止し、ステップＳ１１へ移行する。
【０１２１】
ステップＳ９：
用紙詰まりが発生しない通常動作時であり定着部３９ｂの後側にある用紙検知センサ３７によって記録用紙ＳＨを検出したことから、記録用紙先端位置管理タイマーＴ１の計時を停止し、ステップＳ１０へ移行する。
【０１２２】
ステップＳ１０：
用紙詰まりが発生していない状態であることから、通常動作を継続する。
【０１２３】
ステップＳ１１：
記録用紙先端位置管理タイマーＴ１の計時は、基準時間Ｔ０以下か否かを判定する。記録用紙先端位置管理タイマーＴ１の計時が基準時間Ｔ０以下の場合（ステップＳ１１：ＹＥＳ）は、ステップＳ１２へ移行する。記録用紙先端位置管理タイマーＴ１の計時が基準時間Ｔ０を超過している場合（ステップＳ１１：ＮＯ）は、ステップＳ１４へ移行する。
【０１２４】
なお、基準時間Ｔ０は、レジストローラ４２から搬送経路４３へ搬送された記録用紙ＳＨが搬送先切り替え可能な切り替え可能限界位置ＳＰ１に到達する時間である。つまり、記録用紙先端位置管理タイマーＴ１の計時と基準時間Ｔ０とを比較することによって、用紙詰まりが発生した場合に転写部３９ａと定着部３９ｂとの間での記録用紙ＳＨの先端位置を判定することが可能となる（記録用紙先端位置判定ステップ）。
【０１２５】
ステップＳ１２：
記録用紙先端位置管理タイマーＴ１の計時が基準時間Ｔ０以下であり、記録用紙ＳＨの先端位置は搬送先切り替え可能な切り替え可能限界位置ＳＰ１の手前（上流側）であると判断できるので、切り替えゲート８３の位置を切り替えて切り替えゲート８３ｊの位置に変更する。
【０１２６】
つまり、記録用紙先端位置判定ステップで判定した記録用紙ＳＨの先端位置が転写部３９ａと定着部３９ｂとの間に配置され記録用紙ＳＨを搬送経路４３から分離して回収する回収経路８０への搬送先切り替えが可能な切り替え可能限界位置ＳＰ１に到達していないときは記録用紙の搬送先を搬送経路４３から回収経路８０へ切り替える（搬送先切り替えステップ）。
【０１２７】
ステップＳ１３：
未定着トナーが載置された記録用紙ＳＨは、切り替えゲート８３ｊによって回収経路８０へ搬送される。つまり、回収経路８０に設けた回収部８２に記録用紙ＳＨを回収することが可能となる（記録用紙回収ステップ）。なお、回収部８２に回収された記録用紙は、適宜の間隔で除去することが可能となる。
【０１２８】
ステップＳ１４：
記録用紙先端位置管理タイマーＴ１の計時が基準時間Ｔ０を超過していることから、記録用紙ＳＨの先端は、搬送先切り替え可能な切り替え可能限界位置ＳＰ１を通過していると判断できるので切り替えゲート８３の切り替え動作を行なわずに直ちに記録用紙の搬送を停止する。
【０１２９】
ステップＳ１５：
通常のＪＡＭ停止処理を実行する。つまり、用紙詰まりを生じた記録用紙を手作業で除去する。
【０１３０】
上述したとおり、本実施の形態では、転写部３９ａから定着部２９ｂまでの記録用紙Ｓ
Ｈの搬送方向が定常状態で水平方向となっている場合を例示したが、記録用紙ＳＨを垂直方向に搬送するような縦搬送構造の画像形成装置に対しても同様に適用することが可能である。
【図面の簡単な説明】
【０１３１】
【図１】本発明の実施の形態に係る画像形成装置の全体構成の概略を側面から見て透視的に示す透視側面図である。
【図２】本発明の実施の形態に係る画像形成装置の回収経路の概略を概念的に示す透視側面図である。
【図３】本発明の実施の形態に係る画像形成装置の回収経路での記録紙の回収状態を示す透視側面図である。
【図４】本発明の実施の形態に係る画像形成装置の回収経路での記録紙の回収状態を示す透視側面図である。
【図５】本発明の実施の形態に係る画像形成装置の回収経路で未定着トナーを回収する掻き取り機構部を示す透視側面図である。
【図６】本発明の実施の形態に係る画像形成装置の回収経路の回収部へ回収した記録用紙を取り出す開放蓋を示す説明図であり、（Ａ）は斜視図、（Ｂ）は透視側面図である。
【図７】本発明の実施の形態に係る画像形成装置の回収経路の回収部へ回収した記録用紙を除去するための切り欠きを示す斜視図である。
【図８】本発明の実施の形態に係る画像形成装置の回収経路の回収部へ回収した記録用紙を押し出す押し出し機構部を示す斜視図である。
【図９】図８に示した押し出し機構部を駆動する押し出し機構駆動部を概念的に示す平面図である。
【図１０】本発明の実施の形態に係る画像形成装置の回収経路へ記録用紙を回収するときの搬送先切り替えの処理フローを示すフローチャートである。
【符号の説明】
【０１３２】
１１  原稿セットトレイ
１２  原稿排紙トレイ
１３  ＣＩＳ
１５  第１走査ユニット
１６  第２走査ユニット
１７  結像レンズ
１８  ＣＣＤ
２１  感光体ドラム
２２  帯電器
２３  光書込みユニット
２４  現像器
２５  転写ユニット
２６  クリーニングユニット
２７  定着ユニット
２８ａ  レーザ照射部
２８ｂ  レーザ照射部
２９ａ  ミラー群
２９ｂ  ミラー群
３１  転写ベルト
３２  駆動ローラ
３３  従動ローラ
３４  弾性導電性ローラ
３５  加熱ローラ
３６  加圧ローラ
３７  用紙検知センサ
３９ａ  転写部
３９ｂ  定着部
４１  搬送ローラ
４２  レジストローラ
４３  搬送経路
４４  反転搬送経路
４５  分岐爪
４６  排紙ローラ
４７  排紙トレイ
５１  給紙トレイ
５２  大容量給紙カセット
５３  手差しトレイ
８０  回収経路
８１  導入路
８２  回収部
８２ｃ  開放蓋
８２ｓ  切り欠き
８３  切り替えゲート
８３ｊ  切り替えゲート
８５  掻き取り機構部
８６  トナー回収部
８７  開放口
８８  押し出し機構部
８８ｂ  補助棒
８８ｐ  押し出し面
８９  押し出し機構駆動部
９０  壁面カバー
１００  画像形成装置
１００ｃ  壁面
１００ｗ  装置構造体
１０１  原稿用紙搬送部
１０２  画像読み取り部
１０２ａ  原稿読み取り窓
１０３  印刷部
１０４  記録用紙搬送部
１０５  給紙部
ＳＨ  記録用紙
ＳＰ１  切り替え可能限界位置
【図１】
2009128432.tif 000003
【図２】
2009128432.tif 000004
【図３】
2009128432.tif 000005
【図４】
2009128432.tif 000006
【図５】
2009128432.tif 000007
【図６】
2009128432.tif 000008
【図７】
2009128432.tif 000009
【図８】
2009128432.tif 000010
【図９】
2009128432.tif 000011
【図１０】
2009128432.tif 000012